(57)【要約】【課題】歩行時に人体の機能障害がある場合に歩行機能を補助する用具である補装具において、装着が簡便であり、杖として機能と義足としての機能を併せ持つことを特徴とする補装具の提供を目的にする。【構成】補装具腰部１１０、プロテクター固着部１２０、スライダー部１３０、補装具接地部１４０、より構成される補装具１００に、歩行機能に障害のある人体Ｈの上腕部または肩部から他方の腋の下に掛けるタスキ型支持部材２１０およびタスキ型支取付け手段１１１を設け、人体Ｈの腰部を包囲するための腰部支持部材２２０および腰部支持部材取付け手段１１２を設け、人体Ｈの股間から大腿部付け根を介して腰部まで吊り上げる大腿部支持部材２３０および大腿部支持部材取付け手段１１３を設け、人体Ｈの脚部を着脱可能に挟着するための一対のプロテクター２４０，２５０およびプロテクター取付け手段１２１，１２２を設けたことを特徴とする、支持部材を備えた補装具を提供する。【選択図】        図１
2006102455.tif 000002
【特許請求の範囲】
【請求項１】
歩行時に人体の機能障害がある場合に歩行機能を補助する用具である補装具において、前記補装具に、少なくとも一方の上腕部または肩部から他方の腋の下に掛けるタスキ型支持部材および取付け手段を設け、腰部を包囲するための腰部支持部材および取付け手段を設け、股間から大腿部付け根を介して腰部まで吊り上げる大腿部支持部材および取付け手段を設け、少なくとも一方の脚部を着脱可能に挟着するための一対のプロテクターおよび取付け手段を設けたことを特徴とする、支持部材を備えた補装具。
【請求項２】
前記補装具が、前記タスキ型支持部材取付け手段や前記腰部支持部材取付け手段や前記大腿部支持部材取付け手段、腰部に当接するパッド、使用者が把持することができ着脱可能に固着した歩行補助棒を設けた補装具腰部、前記プロテクター取付け手段を設けこれにより前記プロテクターを固着したプロテクター固着部、前記補装具の下端に設け緩衝手段を備えた補装具接地部、前記補装具接地部と前記プロテクター固着部の間に設けられ長さが調整可能なスライダー部が設けられたことを特徴とする、請求項１に記載の支持部材を備えた補装具。
【請求項３】
前記補装具腰部の下端部と前記プロテクター固着部の上端部が関節手段で連結されていることを特徴とする、請求項１または請求項２に記載の支持部材を備えた補装具。
【請求項４】
前記プロテクター固着部の下端部と前記スライダー部の上端部が関節手段で連結されていることを特徴とする、請求項１から請求項３のいずれかに記載の支持部材を備えた補装具。
【請求項５】
前記補装具腰部の本体がパイプ体で形成され、前記プロテクター固着部の本体がパイプ体で形成され、前記スライダー部の本体がパイプ体で形成され、前記補装具接地部の本体がパイプ体で形成され、前記パイプ体が夫々回動可能な手段で接続されていることを特徴とする、請求項１から請求項４のいずれかに記載の支持部材を備えた補装具。
【発明の詳細な説明】
【技術分野】
【０００１】  本発明は、歩行時に人体の機能障害がある場合に歩行機能を補助する用具である補装具において、前記補装具に、少なくとも一方の上腕部または肩部から他方の腋の下に掛けるタスキ型支持部材および取付け手段を設け、腰部を包囲するための腰部支持部材および取付け手段を設け、股間から大腿部付け根を介して腰部まで吊り上げる大腿部支持部材および取付け手段を設け、少なくとも一方の脚部を着脱可能に挟着するための一対のプロテクターおよび取付け手段を設けたことを特徴とする、支持部材を備えた補装具に関するものである。
【背景技術】
【背景技術】
【０００２】  従来、脚部や足部を骨折や捻挫等負傷した場合に、負傷した足をついての歩行が困難であるために松葉杖等を利用して歩行することが多かったが、松葉杖等を使用するために片手または両手を使用するため、負傷した箇所が局部的なものであっても、手の自由度が大きく制限されてしまっていた。
従来の義足には、
ベルトや締め革で吊り下げる方法
ソケットの上縁を骨にひっかける方法
ソケットの空気が抜けにくいようにして吸着させる方法
先端にピンがついているライナーという袋状のものを断端に装着しピンを義肢のソケットの中に差込、ピンがひっかかる方法がある
ソケットはいろいろな形があります。最近は、膝より下の切断では従来の義足とは異なり、断端全体で均等に体重を支持する全面接触型下腿ソケット、膝より上の切断では従来の義足よりも歩行時の身体の横揺れが少ない坐骨収納型ソケットが使用されてきています。
ライナーを装着する利点として、断端のむくみを防ぎ、安定した断端が作られます。また幻肢痛・断端痛が少ないといわれています。しかし、正確なサイズのものを装着しなければならず、断端の形が変わってしまったら取り替える必要があります。また皮ふに直接密着するため、毎日正しい洗浄と乾燥が必要となります。【０００３】  いくつかの興味ある技術としては次のものがある：米国特許第１，２８５，５０７号において、エス．エッチ．ウオーターマン（Ｓ．Ｈ．Ｗａｔｅｒｍａｎ）は義足固定手段を開示しており、この固定手段は着用者の体の輪郭に合致した大腿部を有し、腰部において背面を横切って延在するベルトを具え、ストラップ（ｓｔｒａｐ）を使用して下方に延在させ、このストラップを義足に機械的に固着させる。
米国特許第１，８５８，９７４号において、ジエー．エー．スゥエィン（Ｊ．Ａ．Ｓｗａｉｎ）は義足を使用者の体から支持できるようにする取付具を開示しており、この取付具はストラップを２個のみ有し、腰のまわりに着用されるベルトを具える。第１ストラップは義足の上で垂直方向に輪を作るかあるいは義足上のループを通って輪を作る。第２ストラップは義足の上の第２のループを通って連結され、着用者の反対側でベルトに連結される。このように、正面における２個のストラップは互に交差し、また背面における２個のストラップは互に交差し、股関節および義足の相対的に制限されていない動きを保証する。【０００４】  杖の脇当てによる腋の押し圧痛の防止具を筒易迅速に着脱出来るようにし、体がインターバルをとっている間も杖で走れるような構成にし、吊り具や杖の脇当てによる腋の押し圧痛の防止具についてはコストを軽減することを課題とし、解決手段としては、フックヒートン等繋ぎ具を有する場合を含む、輪等連結具の一方は杖の脇当てによる、腋の押し圧痛の防止具に取付け、他方は脇当て等杖の部材に取付けた突起等留め具に着脱自在に取付けるようにした連結具であり、杖の後部、且つ上方の範囲にあって、鈎等取付け具を有する場合を含む支柱を、身体を吊る吊り具の取付け部と為した杖であり、一方は杖に取付け、他方は大腿部、股間等の任意の部位につけて、杖に身体を吊る、吊り具は左右の各側に分離してあり、それらを一組みと為して成るところの吊り具の案件が知られている。（特開平１１−１１３９８７号公報を参照する）【０００５】  脇の痛みが生じることなく良好な歩行補助を行うことができる杖の提供を課題とし、解決手段として、本体の下端部に石突部が設けられ、本体の上端部の内側に支持部が備えられ、支持部は、杖が使用されるときに、使用者の肩部及び上腕部に当接し、本体の中央部にグリップが設けられ、グリップは、本体の内側へ突出するように配設され、本体に対して支持部を全方向に回動可能に連結する関節部が設けられ、支持部の内面は、使用者の上腕部及び肩部を包むように曲面に形成されることを特徴とする。（特開２００３−３２５６０３号公報を参照する）【０００６】  人体の下側胴部を包囲するための、自由端を有する細長いベルト部、前記自由端を着脱可能に一緒に連結するための取付手段、および前記ベルト部と一体に形成され、該ベルト部から下向きに延在して前記整形用装具を支持する少くとも１個の可撓性弾性スリーブ、を具える、少なくとも一方の脚に膝上切断部を有する人体の残存下肢または脚に整形用装具をしっかりと保持するための、人体を包囲するのに適した支持部材の開発を目的にし、前記支持部材、前記ベルト部および前記スリーブは可撓性弾性材料から成り、前記スリーブは前記整形用装具の頂部外側表面を包囲して把持しており、前記支持部材はその表面に取り付けられたＶ字形内転筋パネルを具え、前記パネルは、前記支持部材を着用した際に人体に関して横方向に位置し、前記Ｖ字形内転筋パネルの下側先端が使用時の配置方向において全般的に下向き方向に向きかつ前記スリーブの下側部分に取り付けられることを特徴とする整形用装具と共に使用する弾性支持部材の開発案件が知られている。（特許登録第２６４４７９３号公報を参照する）【０００７】  上述の文献はいずれも個々においてもあるいは組み合わせても本発明を全く開示あるいは示唆していない。
【発明の開示】
【発明が解決しようとする課題】
【０００８】
【００１０】  ところが、従来の義足には、色々な問題があった。
一方、このような問題を回避するためにつまり松葉杖等の使用無しに歩行できるように、脚部材上部に支持された受部材に人脚を略Ｌ字状に屈曲した状態で固定して、負傷した足を着かずに歩行することを可能にした歩行用補助具が提案されている。
しかしながら、上述の歩行用補助具の使用においては人脚を略Ｌ字状に屈曲した状態で固定する必要があるため拘束感を感じることや、また、通常の歩行状態と異なり脚を略Ｌ字状に屈曲した状態で歩行するために違和感を感じることがある。【００１１】  従って、整形用装具に伝えられたどのような動作または運動にも応答する可撓性特性を有する整形用装具のための一体の可撓性弾性支持部材を提供することは本発明の目的として有用で望ましいことである。【００１２】  本発明は、上記の課題を解決するために成されたものであり、歩行時に人体の機能障害がある場合に歩行機能を補助する用具である補装具において、装着が簡便であり、杖として機能と義足としての機能を併せ持つことを特徴とする補装具の提供を目的にする。
また、本発明は、人体への面圧を分散化させることで、人体への負担や苦痛を軽減化させる補装具の提供を目的にする。
また、本発明は、人体の大小や、前記補装具を装着する人体の部位の寸法に合わせて、本体の寸法を調節することを可能にする補装具の提供を目的にする。
【課題を解決するための手段】
【００２０】  課題を解決するための第一の手段として、歩行時に人体の機能障害がある場合に歩行機能を補助する用具である補装具において、前記補装具に、少なくとも一方の上腕部または肩部から他方の腋の下に掛けるタスキ型支持部材および取付け手段を設け、腰部を包囲するための腰部支持部材および取付け手段を設け、股間から大腿部付け根を介して腰部まで吊り上げる大腿部支持部材および取付け手段を設け、少なくとも一方の脚部を着脱可能に挟着するための一対のプロテクターおよび取付け手段を設けたことを特徴とする、支持部材を備えた補装具の提供を目的とする。【００２１】  前記機能障害に関しては【００２５】  課題を解決するための第二の手段として、前記補装具が、前記タスキ型支持部材取付け手段や前記腰部支持部材取付け手段や前記大腿部支持部材取付け手段、腰部に当接するパッド、使用者が把持することができ着脱可能に固着した歩行補助棒を設けた補装具腰部、前記プロテクター取付け手段を設けこれにより前記プロテクターを固着したプロテクター固着部、前記補装具の下端に設け緩衝手段を備えた補装具接地部、前記補装具接地部と前記プロテクター固着部の間に設けられ長さが調整可能なスライダー部が設けられたことを特徴とする、請求項１に記載の支持部材を備えた補装具の提供を目的とする。【００２６】  前記長さが調整可能な手段に関しては【００３０】  課題を解決するための第三の手段として、前記補装具腰部の下端部と前記プロテクター固着部の上端部が関節手段で連結されていることを特徴とする、請求項１または請求項２に記載の支持部材を備えた補装具の提供を目的とする。【００３１】  前記連結手段に関しては【００３２】  課題を解決するための第四の手段として、前記プロテクター固着部の下端部と前記スライダー部の上端部が関節手段で連結されていることを特徴とする、請求項１から請求項３のいずれかに記載の支持部材を備えた補装具の提供を目的とする。【００３３】  前記関節手段に関しては【００３４】  課題を解決するための第五の手段として、前記補装具腰部の本体がパイプ体で形成され、前記プロテクター固着部の本体がパイプ体で形成され、前記スライダー部の本体がパイプ体で形成され、前記補装具接地部の本体がパイプ体で形成され、前記パイプ体が夫々回動可能な手段で接続されていることを特徴とする、請求項１から請求項４のいずれかに記載の支持部材を備えた補装具の提供を目的とする。【００３５】  前記回動可能な手段に関しては、複数のパイプ体を摺動させる手段でも構わない。【００３６】  この発明は、歩行を補助するための杖に関するものである。
少なくとも一方の脚に膝上切断部を有する人体の残存下肢または脚に装着する義足であり
前記関節手段の少なくとも一つが全方向に回動可能に連結する関節手段であることが好ましい。
前記パイプ体の少なくとも一つが長さ調節手段を備えていることが好ましい。
前記プロテクターが、弾性材料で形成されていることが好ましい。
前記プロテクターが、可撓性材料で形成されていることが好ましい。
前記パッドが、可撓性弾性材料で形成されていることが好ましい。
【発明の効果】
【００４０】  本発明によって、この操作により、回転パイプ１および２にある溝が、関節１および２にかみ合い、関節１および２が同時に折れることを可能とする。【００４１】  本発明によって、これにより、装着したまま、椅子などに座る場合に、レバーをまわすことにより、自重で義足を折りたたむことができる。【００４２】  弾性支持部材は主として義足を懸垂するかあるいは義足の懸垂を助けるために膝上切断部を有する個々のヒトに使用することを意図したものである。その有用性および適切さは、毎日の活動の維持および増大に直接関係するレベルの安楽さおよび安全を提供する点において特に明らかである。【００４３】  また、回転機構を備えながら、長さ調節も５ｍｍ単位で行えるようになっている。【００４４】  長さ調節は、太もも部（スライドパイプ１および２）、すね部（図４）が可能【００４５】  前記ベルトを組み合わせることにより、身長の異なる人にも微調整のみで装着することができる。【００４６】  また、肩からタスキ掛けを行うことにより、義足装着時、一旦義足を肩から吊り下げることにより、容易に装着することができる。【００４７】  ベルト類の固定は、一旦長さの調節を行えば、その後ワンタッチで可能。【００４８】  股部には太ももを挟み込むようにプロテクトがあり（プロテクター１，２）、太ももの動きに合わせて義足を動かすことができる。また、プロテクターの装着もベルトをワンタッチで固定することにより行える。【００４９】  以上のように本発明によれば、本発明の補装具を杖として使用する場合、歩行を補助する際に使用者の脇の部分に接触する部位を備えていないので、使用者は脇の痛みを感じることがない。しかも、使用者の上腕部及び肩部に杖の支持部が当接するので、安定した歩行補助が実現される。
したがって、上記杖において関節部が備えられた場合と同様に、杖の使用時に、身体に支持部が当接された状態で、上腕支持部が回動することができる。これにより、杖は、一層良好な歩行補助を実現することができる。【００５０】  また、一定量折れた時点でストッパーがかかり、一定量以上はしっかりと支えるようになっている。【００５１】  歩行補助棒（図１参照）歩行時に体を支える補助として、補助棒を備える。
【発明を実施するための最良の形態】
【００５２】
【００６０】  以下、本発明の実施の形態について、図１〜図３に基づいて説明する。
図１は本発明の実施の形態例を示す斜視図である。図２は本発明の実施の形態例を示す側面図である。図３は本発明の実施の形態例を示す概略説明図である。【００６１】  図１の実施の形態例より、補装具腰部１１０、プロテクター固着部１２０、スライダー部１３０、補装具接地部１４０、より構成される補装具１００に、歩行機能に障害のある人体Ｈの上腕部または肩部から他方の腋の下に掛けるタスキ型支持部材２１０およびタスキ型支取付け手段１１１を設け、人体Ｈの腰部を包囲するための腰部支持部材２２０および腰部支持部材取付け手段１１２を設け、人体Ｈの股間から大腿部付け根を介して腰部まで吊り上げる大腿部支持部材２３０および大腿部支持部材取付け手段１１３を設け、人体Ｈの脚部を着脱可能に挟着するための一対のプロテクター２４０，２５０およびプロテクター取付け手段１２１，１２２を設けたことを特徴とする、支持部材を備えた補装具を提供する。
【実施例１】
【００６２】  イ．胴体上側吊り下げベルト、第一のベルト留め具
ロ．腰ベルト、第二のベルト留め具
ハ．股間吊り上げベルト、第三のベルト留め具
ニ．股２方向プロテクト、同時固定装着、一対のプロテクター（１，２）
３足部（図３参照）
【実施例２】
【００６３】  図２の実施の形態例より、
関節１、および２同時開放型（図１参照）
関節１，２開放レバーにより、回転パイプ１，２を同時に回転させ、
関節１，２を同時に開放させる
【実施例３】
【００６４】  本体１１は、フレーム１３と、石突部１４と、グリップ１５とを備えている。フレーム１３は、一対の板状部材１６，１７を有している。各板状部材１６，１７は、図が示すように細長の矩形状を呈しており、例えば木材や金属等により構成されている。本実施形態では、板状部材１６，１７は、アルミニウムにより構成されている。なお、フレーム１３は、板状部材のほかに、断面が略円形の部材（例えば丸パイプや丸棒等）により構成されていてもよい。
フレーム１３を構成する板状部材１６は、図が示すように、中間部分で屈曲されている。また、板状部材１７は、板状部材１６と左右対称形に形成されており、これらが対向するように配置されている。また、フレーム１３は、クロスメンバ１８を備えており、これにより、フレーム１３の剛性が向上されている。なお、クロスメンバは、上記板状部材１６，１７と同様の材料により構成することができ、本実施形態では、クロスメンバは、アルミニウムにより構成されている。
【実施例４】
【００６５】  石突部１４は、フレーム１３の下端部に設けられている。石突部１４は、ベース１９とパッド２０とを有している。石突部１４は、杖１０の使用時に、実際に接地される部分である。ベース１９は、例えば図が示すように丸棒部材により構成されている。ベース１３は、フレーム１３と同様に、例えば木材や金属等により構成されている。本実施形態では、ベースは、アルミにより構成されている。
【実施例５】
【００６６】  パッド２０は、図が示すように、略円柱状に形成されている。パッド２０は、ベース１９の下端部に固定されており、接地された場合の滑り止めのために、たとえばゴム等により構成されている。石突部１４は、図が示すように、フレーム１３に支持されている。具体的には、ベース１９は、フレーム１３の板状部材１６，１７によって挟み込まれるようにして支持されている。そして、ベース１９は、ボルト２１を用いてフレーム１３に固定されている。
支持部は、図が示すように、略逆Ｌ字状に形成されている。支持部１２は、内部がくりぬかれたような器状に形成されており、杖１０が使用される際に、使用者の上腕部及び肩部が支持部１２の内側に収容され保持されるようになっている。
このため、支持部１２は、例えばウレタン等により構成されている。支持部１２は使用者の上腕部及び肩部に当接されるものであるから、支持部１２は、その内面にネオプレンゴム等が貼り付けられていてもよい。このようにすれば、杖１０の使用者の身体と支持部１２との間に均等な面圧が生じる。これにより、杖１０の使用者は、肩や上腕部に痛み等を感じることがない。
【実施例６】
【００６７】  すなわち、支持部１２は、肩支持部２５と上腕支持部２６とを有し、これらは一体的に形成されている。そして、肩支持部２５は、杖１０が使用される際に使用者の肩部に当接し、上腕支持部２６は、杖１０が使用される際に使用者の上腕部に当接する。また、支持部１２は器状に形成されていることから、支持部１２の内面２７（すなわち、上記上腕部及び肩部に当接する当接面）は、杖１０が使用される際に、上記上腕部及び肩部を包み込むようになっている。
関節部２４は、上記ボス部２８と関節ピン３１とを有している。関節ピン３１は、例えば金属等により構成されている。本実施形態では、関節ピン３１は、アルミニウムにより構成されている。関節ピン３１は、基軸３２と球状軸３３とを有しており、これらは一体的に形成されている。
本実施形態に係る杖１０は、次のようにして使用される。杖１０の使用者は、身体の外側に杖１０を配置し、杖１０の本体１１を持つ。このとき、支持部１２が設けられているから、使用者が本体１１を持つと、支持部１２が使用者の上腕部及び肩部にぴったりと当接する。使用者は、本体１１を持った状態で本体１１を前方へ突き出し、石突部１４を接地させる。そして、使用者は、本体１１を持ったまま身体を本体１１に預けて前方へ移動する。
【実施例７】
【００６８】  杖１０の使用時には、使用者の身体は本体１１の内側に位置しているから、使用者が身体を本体１１に預けた場合には、石突部１４を支点として本体１１が使用者の身体側へ傾く。このため、支持部１２が使用者の上腕部及び肩部に押しつけられ、これにより、杖１０全体が安定する。したがって、杖１０は、安定した良好な歩行補助を実現することができる。
特に本実施形態に係る杖１０は、グリップ１５が設けられているので、使用者は、杖１０の本体１１を確実に握ることができる。したがって、杖１０は、さらに安定した歩行補助を行うことができる。
また、本実施形態に係る杖１０は、関節部２４が設けられているので、杖１０が使用されるとき、つまり、使用者が杖１０を前方へ突き出し、杖１０に対して相対的に身体を前方へ移動させるときに、支持部１２が身体に当接された状態で、杖１０の本体１１が支持部１２に対して円滑に回動することができる。これにより、杖１０は、一層良好な歩行補助を実現することができる。
さらに、本実施形態に係る杖では、支持部１２の内面２７は曲面に形成されており、杖１０の使用時に、支持部１２が使用者の上腕部及び肩部を包む込むので、支持部１２が使用者の上腕部及び肩部にフィットする。これにより、杖１０は、より安定して使用され、なお一層安定した歩行補助を実現することができる。
上記支持フレーム４２は、フレーム１３に対して矢印４５の方向に沿って回動自在に設けられていても良い。すなわち、支持フレーム４２は、図４が示すように内側に突出した状態から、垂下した状態へ回動できるものでもよい。
【実施例８】
【００６９】  上述した実施の形態例より、いくつかの実施例について説明をしたが、この技術分野における通常の知識を有する者にとって、本発明の精神および範囲を逸脱することなく種々の変更および変化を行うことができる場合でも、請求の範囲の範囲内に入るこのような変更および変化はすべて本発明の範囲に入るものである。
【産業上の利用可能性】
【００７０】
【図面の簡単な説明】
【００７１】
【図１】本発明の実施の形態例を示す概略説明図である。
【図２】本発明の実施の形態例を示す概略説明図である。
【図３】本発明の実施の形態例を示す概略説明図である。
【図４】本発明の実施の形態例を示す概略説明図である。
【図５】本発明の実施の形態例を示す概略説明図である。
【符号の説明】
【００７２】Ｈ          人体
１００      補装具
１１０      補装具腰部
１１１      タスキ型支取付け手段
１１２      腰部支持部材取付け手段
１１３      大腿部支持部材取付け手段
１２０      プロテクター固着部
１２１，１２２    プロテクター取付け手段
１３０      スライダー部
１４０      補装具接地部
２１０      タスキ型支持部材
２２０      腰部支持部材
２３０      大腿部支持部材
２４０，２５０    プロテクター
【図１】
2006102455.tif 000003
【図２】
2006102455.tif 000004
【図３】
2006102455.tif 000005
【図４】
2006102455.tif 000006
【図５】
2006102455.tif 000007